【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
放射性物質が収納されると共に加圧ガスが充填された密閉容器と、前記密閉容器が収容される遮蔽構造体と、前記遮蔽構造体の下部側に形成される給気口および上部側に形成される排気口と、前記密閉容器と前記遮蔽構造体との間に形成されて前記給気口および前記排気口とを繋ぐ流路とを有し、前記放射性物質を遮蔽すると共に前記給気口から前記流路を介して前記排気口へと移動する冷却ガスにより前記放射性物質から発生する熱を奪って冷却する放射性物質貯蔵容器について、前記加圧ガスの漏洩を検知する方法において、前記密閉容器の頂面および底面の温度と前記冷却ガスの給気温度を監視しこれらの温度変化に基づいてガス漏洩を検知することを特徴とする放射性物質密閉容器のガス漏洩検知方法。
【請求項２】
前記頂面の中心位置および前記底面の中心位置の温度を監視することを特徴とする請求項１記載の放射性物質密閉容器のガス漏洩検知方法。
【請求項３】
前記底面温度と前記頂面温度との差の値を監視して、当該値の変化と前記冷却ガスの給気温度の温度変化に基づいてガス漏洩を検知することを特徴とする請求項１または２記載の放射性物質密閉容器のガス漏洩検知方法。
【請求項４】
前記底面温度と前記頂面温度との差の値が上昇し、尚且つ前記給気温度が低下する場合に、ガス漏洩と判断することを特徴とする請求項１から３のいずれか１つに記載の放射性物質密閉容器のガス漏洩検知方法。
【請求項５】
放射性物質が収納されると共に加圧ガスが充填された密閉容器と、前記密閉容器が収容される遮蔽構造体と、前記遮蔽構造体の下部側に形成される給気口および上部側に形成される排気口と、前記密閉容器と前記遮蔽構造体との間に形成されて前記給気口および前記排気口とを繋ぐ流路とを有し、前記放射性物質を遮蔽すると共に前記給気口から前記流路を介して前記排気口へと移動する冷却ガスにより前記放射性物質から発生する熱を奪って冷却する放射性物質貯蔵容器について、前記加圧ガスの漏洩を検知する装置において、前記密閉容器の頂面および底面の温度と前記冷却ガスの給気温度を監視しこれらの温度変化に基づいてガス漏洩を検知することを特徴とする放射性物質密閉容器のガス漏洩検知装置。
【手続補正２】
【補正対象書類名】明細書
【補正対象項目名】００１６
【補正方法】変更
【補正の内容】
【００１６】
請求項１記載の放射性物質密閉容器のガス漏洩検知方法は、かかる知見に基づくものであって、放射性物質が収納されると共に加圧ガスが充填された密閉容器と、前記密閉容器が収容される遮蔽構造体と、前記遮蔽構造体の下部側に形成される給気口および上部側に形成される排気口と、前記密閉容器と前記遮蔽構造体との間に形成されて前記給気口および前記排気口とを繋ぐ流路とを有し、前記放射性物質を遮蔽すると共に前記給気口から前記流路を介して前記排気口へと移動する冷却ガスにより前記放射性物質から発生する熱を奪って冷却する放射性物質貯蔵容器について、前記加圧ガスの漏洩を検知する方法であり、前記密閉容器の頂面および底面の温度と前記冷却ガスの給気温度を監視して、これらの温度変化に基づいてガス漏洩を検知するようにしている。
【手続補正３】
【補正対象書類名】明細書
【補正対象項目名】００１７
【補正方法】変更
【補正の内容】
【００１７】
また、請求項５記載の放射性物質密閉容器のガス漏洩検知装置は、放射性物質が収納されると共に加圧ガスが充填された密閉容器と、前記密閉容器が収容される遮蔽構造体と、前記遮蔽構造体の下部側に形成される給気口および上部側に形成される排気口と、前記密閉容器と前記遮蔽構造体との間に形成されて前記給気口および前記排気口とを繋ぐ流路とを有し、前記放射性物質を遮蔽すると共に前記給気口から前記流路を介して前記排気口へと移動する冷却ガスにより前記放射性物質から発生する熱を奪って冷却する放射性物質貯蔵容器について、前記加圧ガスの漏洩を検知する装置であり、前記密閉容器の頂面および底面の温度と前記冷却ガスの給気温度を監視しこれらの温度変化に基づいてガス漏洩を検知するようにしている。
【手続補正４】
【補正対象書類名】明細書
【補正対象項目名】００１８
【補正方法】変更
【補正の内容】
【００１８】
密閉容器に充填された加圧ガスが漏洩し始めると、給気温度の変化にはよらず、密閉容器の頂面ではある定常値に向かって温度低下を続け、密閉容器の底面ではある定常値に向かって温度上昇を続ける。したがって、密閉容器の頂面および底面の温度を監視していて、上記傾向の有無を確認することで、加圧ガスの漏洩の有無を判断できる。また、冷却ガスの給気温度も監視しているので、より確実かつ早期にガス漏洩を検知することができる。
【手続補正５】
【補正対象書類名】明細書
【補正対象項目名】００２０
【補正方法】変更
【補正の内容】
【００２０】
また、請求項３記載の発明は、請求項１または２記載の放射性物質密閉容器のガス漏洩検知方法において、前記底面温度と前記頂面温度との差の値を監視して、当該値の変化と前記冷却ガスの給気温度の温度変化に基づいてガス漏洩を検知するようにしている。ガス漏洩が始まると、密閉容器の頂面ではある定常値に向かって温度低下を続け、密閉容器の底面ではある定常値に向かって温度上昇を続ける。したがってガス漏洩が生じていれば、底面温度は上昇するのに対し頂面温度は低下するから、底面温度と頂面温度との差の値は大きくなり、且つこの値は、ある定常値に向かって増加し続ける。つまり、ガス漏洩が生じた場合には、底面温度と頂面温度との差の値は特異な傾向を示し、尚且つこの値の増加量はガス微少漏洩時における密閉容器外面上のどの点の温度変化量よりも大きいので、この値を監視することで、検知感度をより向上でき、更に信頼性の高いガス漏洩検知を行うことができる。また、冷却ガスの給気温度も監視しているので、より確実かつ早期にガス漏洩を検知することができる。
【手続補正６】
【補正対象書類名】明細書
【補正対象項目名】００２１
【補正方法】変更
【補正の内容】
【００２１】
また、請求項４記載の発明は、請求項１から３のいずれか１つに記載の放射性物質密閉容器のガス漏洩検知方法において、前記底面温度と前記頂面温度との差の値が上昇し、尚且つ前記給気温度が低下する場合に、ガス漏洩と判断するようにしている。給気温度が低下する場合、給気口に近い密閉容器の底面ではこの影響を受けて温度低下し、頂面においても若干の温度低下が見られるのが通常である。給気温度が低下しているにもかかわらず、底面温度と頂面温度との差の値が上昇するのは、ガス漏洩が生じた場合に他ならない。したがって、上記のように給気温度も監視対象に加えることで、より確実かつ早期にガス漏洩を検知することができる。
【手続補正７】
【補正対象書類名】明細書
【補正対象項目名】００２２
【補正方法】変更
【補正の内容】
【００２２】
しかして請求項１記載のガス漏洩検知方法および請求項５記載のガス漏洩検知装置によれば、加圧ガスの漏洩が生じた場合に給気温度の変化によらずある定常値に向かって温度低下を続ける密閉容器の頂面温度と温度上昇を続ける密閉容器の底面温度とを監視するので、ガスが微少漏洩する場合でも、また貯蔵期間が長期にわたる場合でも、給気温度の変化による影響と明確に区別して、信頼性の高いガス漏洩検知を行うことができる。また、測定温度データから給気温度の変化の影響を除く複雑な統計学的計算は不要であり、また統計データに対する経験的な判断基準を設ける必要もないので、簡易にガス漏洩検知を行うことができる。さらに、冷却ガスの給気温度も監視しているので、より確実かつ早期にガス漏洩を検知することができる。
【手続補正８】
【補正対象書類名】明細書
【補正対象項目名】００２４
【補正方法】変更
【補正の内容】
【００２４】
さらに、請求項３記載のガス漏洩検知方法によれば、ガス漏洩が生じた場合に特異な傾向を示す「底面温度と頂面温度との差」の値を監視して、当該値の変化と冷却ガスの給気温度の温度変化に基づいてガス漏洩を検知するので、ガス漏洩検知感度をより向上でき、更に信頼性の高いガス漏洩検知を行うことができる。